(57)【特許請求の範囲】
【請求項１】
タッチパネルと、
前記タッチパネルが所定時間未満押圧されてその後離間された場合は、その離間される直前の押圧領域である第１領域の少なくとも一部を含んだキーを選択し、
一方、前記タッチパネルが所定時間以上押圧された場合は、前記所定時間以上押圧された領域である第２領域の周辺のキー表示を拡大表示するとともに前記第２領域のみの色を変え、前記タッチパネルから離間されるまでキーを選択することなく待機し、前記タッチパネルにおいて押圧位置が移動した場合には、移動する前記押圧位置に色の変化した前記第２領域を追従させ、その後離間されたときにその離間される直前の押圧領域である第３領域の少なくとも一部を含んだキーを選択する制御部と、
を備える表示装置。
【請求項２】
前記制御部は、前記第３領域のみの色を変える
請求項１に記載の表示装置。
【請求項３】
請求項１または２に記載の表示装置と、
前記表示装置において選択された領域に応じて所定の処理をする情報処理部と、
を備える情報処理装置。
【請求項４】
請求項１または２に記載の表示装置と、
前記表示装置において選択された領域に応じて所定の処理をする画像処理部と、
を備える画像処理装置。
【請求項５】
請求項１または２に記載の表示装置と、
前記表示装置において選択された領域に応じて所定の画像を形成する画像形成部と、
を備える画像形成装置。
【発明の詳細な説明】
【技術分野】
【０００１】
本発明は、タッチパネル操作によって所定の機能を実現する表示装置、この表示装置を備える情報処理装置、この表示装置を備える画像処理装置およびこの表示装置を備える画像形成装置に関する。
【背景技術】
【０００２】
近年の表示装置には、選択ボタンの選択を機能ボタンを操作することで行うことは面倒であることを踏まえて、タッチパネルスイッチを選択操作する、タッチパネル方式を採用したものがある。
【０００３】
しかし、タッチパネル方式を採用した表示装置においては、ボタン表示の大きさが上下左右の隣接するタッチパネルスイッチ領域にまたがって存在することがあるため、選択ボタンが隣接している場合には、２つのボタンの境界が不明になることがあり、ユーザが意図しないほうのボタンを操作してしまうことがあった。
【０００４】
そこで、選択されたタッチパネル上のスイッチ領域に対応するモニター上の位置に複数個の選択ボタンが存在する場合には、映像を拡大して表示する表示装置が開示されている（例えば、特許文献１参照。）。
【先行技術文献】
【特許文献】
【０００５】
【特許文献１】特開２００２−３５１６１８号公報
【発明の概要】
【発明が解決しようとする課題】
【０００６】
しかしながら、特許文献１に開示された技術は、選択されたタッチパネル上のスイッチ領域に対応するモニター上の位置に複数個の選択ボタンが存在する場合には、常に映像を拡大して表示するものであるため、操作時間が遅延する問題が生じていた。
【０００７】
そこで、本発明の目的は、上記課題に鑑み、タッチパネルを所定時間以上押圧した場合にのみその押圧領域周辺を拡大表示することで、誤入力の防止をすることができるとともに、通常操作時に遅延時間が生じることがない表示装置を提供することにある。
【課題を解決するための手段】
【０００８】
本発明の表示装置は、タッチパネルおよび制御部を備える。制御部は、タッチパネルが所定時間未満押圧されてその後離間された場合は、その離間される直前の押圧領域である第１領域を選択し、一方、前記タッチパネルが所定時間以上押圧された場合は、その押圧された第２領域の周辺を拡大表示しつつ離間されるまで領域を選択することなく拡大表示を維持し、その後離間されたときにその離間される直前の押圧領域である第３領域を選択する。
【０００９】
この構成では、タッチパネルが押圧され、その後離間されたときに、その離間される直前の押圧領域が選択されるため、ユーザは、タッチパネルを押圧したまま指等をスライドさせることにより、拡大画面において所望の領域の選択が可能となるので、誤入力を防止することができる。
【００１０】
また、タッチパネルが所定時間以上押圧されたときにのみ、その押圧領域周辺が拡大表示されるため、所定時間未満しか押圧されない通常操作がされる場合に遅延時間が生じることがない。
【００１１】
さらに、ユーザは、誤って所定時間以上押圧した場合でも、離間すれば離間される直前の押圧領域が選択されるため、追加動作を要することなく通常操作と同様の感覚で操作可能である。
【発明の効果】
【００１２】
本発明における表示装置は、タッチパネルを所定時間以上押圧した場合にのみその押圧領域周辺を拡大表示することで、誤入力の防止をすることができるとともに、通常操作時に遅延時間が生じることがない。
【図面の簡単な説明】
【００１３】
【図１】本発明の第１実施形態に係る表示装置の構成を示すブロック図である。
【図２】（Ａ）は、タッチパネルの入力受付状態を示す図であり、（Ｂ）は、タッチパネルにおける第１領域を示す図である。
【図３】（Ａ）は、タッチパネルにおける第２領域を示す図であり、（Ｂ）は、タッチパネルにおける第２領域を移動させている状態を示す図であり、（Ｃ）は、タッチパネルにおける第３領域を示す図である。
【図４】制御部の制御内容を示すフローチャートである。
【図５】本発明の第２実施形態に係る表示装置における制御部の制御内容を示すフローチャートである。
【図６】（Ａ）は、タッチパネルにおける第２領域を示す図であり、（Ｂ）は、タッチパネルにおける第２領域を移動させている状態を示す図であり、（Ｃ）は、タッチパネルにおける第３領域を示す図である。
【発明を実施するための形態】
【００１４】
以下、本発明の実施形態に係る表示装置を、図面を参照しつつ詳細に説明する。
【００１５】
最初に、本発明の第１実施形態について説明する。
【００１６】
図１は、本発明の第１実施形態に係る表示装置１００の構成を示すブロック図である。図２（Ａ）は、タッチパネル１１０の入力受付状態を示す図であり、図２（Ｂ）は、タッチパネル１１０における第１領域２１０を示す図である。図３（Ａ）は、タッチパネル１１０における第２領域２２０を示す図であり、図３（Ｂ）は、タッチパネル１１０における第２領域２２０を移動させている状態を示す図であり、図３（Ｃ）は、タッチパネル１１０における第３領域２３０を示す図である。
【００１７】
表示装置１００は、タッチパネル１１０、ＣＰＵ１２０、ＲＯＭ１３０およびＲＡＭ１４０を備える。
【００１８】
タッチパネル１１０は、ユーザの指等によって押圧されてその後離間されることで、その押圧領域が反応するパネルである。ＣＰＵ１２０は、ＲＯＭ１３０からプログラムを読み出して実行し、各部を総括的に制御する。ＲＯＭ１３０は、表示装置１００を制御するためのプログラムが格納されている。ＲＡＭ１４０は、ＣＰＵ１２０のワーキングエリアとして活用される。
【００１９】
また、ＣＰＵ１２０は、タッチパネル１１０が所定時間未満押圧されてその後離間された場合は、その離間される直前の押圧領域である第１領域２１０を選択し、一方、タッチパネル１１０が所定時間以上押圧された場合は、その押圧された第２領域２２０の周辺を拡大表示し、その後離間されたときにその離間される直前の押圧領域である第３領域２３０を選択する。
【００２０】
図４は、ＣＰＵ１２０の制御内容を示すフローチャートである。
【００２１】
ＣＰＵ１２０は、タッチパネル１１０が押圧されるまで待機する（Ｓ１０のＮ）。この状態は、図２（Ａ）に示すように、何も押圧されていない状態である。ＣＰＵ１２０は、タッチパネル１１０が押圧されたと判断すると（Ｓ１０のＹ）、所定時間以上押圧された状態が続いたか否かを判断する（Ｓ２０）。
【００２２】
ＣＰＵ１２０は、タッチパネル１１０が所定時間未満押圧されてその後離間されたと判断すると（Ｓ２０のＮ）、その離間される直前の押圧領域である第１領域２１０を選択し（Ｓ５０）、本実施形態の制御を終了する。この場合、図２（Ｂ）に示すように、「き」が選択されることになる。
【００２３】
一方、ＣＰＵ１２０は、タッチパネル１１０が所定時間以上押圧された状態が続いたと判断すると（Ｓ２０のＹ）、その押圧された第２領域２２０の周辺を拡大表示する（Ｓ３０）。この状態は、例えば、図３（Ａ）に示すように、第２領域２２０の周辺のキー表示を拡大表示した状態である。その後、ＣＰＵ１２０は、タッチパネル１１０の押圧された状態が解除されるまで、つまり、ユーザの指等がタッチパネル１１０から離間されるまで待機する（Ｓ４０のＮ）。
【００２４】
この状態は、例えば、図３（Ｂ）に示すように、ユーザの指等がタッチパネル１１０を押圧しながら移動しているときを示す。ＣＰＵ１２０は、ユーザの指等がタッチパネル１１０から離間されたと判断すると（Ｓ４０のＹ）、その離間される直前の領域である第３領域２３０を選択し（Ｓ５０）、本実施形態の制御を終了する。この場合、図３（Ｃ）に示すように、「し」が選択されることになる。
【００２５】
この構成では、タッチパネル１１０が押圧され、その後離間されたときに、その離間される直前の押圧領域が選択されるため、ユーザは、タッチパネル１１０を押圧したまま指等をスライドさせることにより、拡大画面において所望の領域の選択が可能となるので、誤入力を防止することができる。
【００２６】
また、タッチパネル１１０が所定時間以上押圧されたときにのみ、その押圧領域周辺が拡大表示されるため、所定時間未満しか押圧されない通常操作がされる場合に遅延時間が生じることがない。
【００２７】
さらに、ユーザは、誤って所定時間以上押圧した場合でも、離間すれば離間される直前の押圧領域が選択されるため、追加動作を要することなく通常操作と同様の感覚で操作可能である。
【００２８】
次に、本発明の第２実施形態について説明する。なお、本実施形態では、第１実施形態と重複する部分の説明は適宜省略する。
【００２９】
図５は、本発明の第２実施形態に係る表示装置１００におけるＣＰＵ１２０の制御内容を示すフローチャートである。図６（Ａ）は、タッチパネル１１０における第２領域２２０を示す図であり、図６（Ｂ）は、タッチパネル１１０における第２領域２２０を移動させている状態を示す図であり、図６（Ｃ）は、タッチパネル１１０における第３領域２３０を示す図である。
【００３０】
ＣＰＵ１２０は、タッチパネル１１０が押圧されるまで待機する（Ｓ１１０のＮ）。この状態は、図２（Ａ）に示すように、何も押圧されていない状態である。ＣＰＵ１２０は、タッチパネル１１０が押圧されたと判断すると（Ｓ１１０のＹ）、所定時間以上押圧された状態が続いたか否かを判断する（Ｓ１２０）。
【００３１】
ＣＰＵ１２０は、タッチパネル１１０が所定時間未満押圧されてその後離間されたと判断すると（Ｓ１２０のＮ）、その離間される直前の押圧領域である第１領域２１０を選択し（Ｓ１５０）、本実施形態の制御を終了する。この場合、図２（Ｂ）に示すように、「き」が選択されることになる。
【００３２】
一方、ＣＰＵ１２０は、タッチパネル１１０が所定時間以上押圧された状態が続いたと判断すると（Ｓ１２０のＹ）、その押圧された第２領域２２０の周辺を拡大表示する（Ｓ１３０）。この状態は、例えば、図６（Ａ）に示すように、第２領域２２０の周辺のキー表示を拡大表示した状態である。そして、ＣＰＵ１２０は、図６（Ａ）に示すように、第２領域２２０の色を変える（Ｓ１３５）。その後、ＣＰＵ１２０は、タッチパネル１１０の押圧された状態が解除されるまで、つまり、ユーザの指等がタッチパネル１１０から離間されるまで待機する（Ｓ１４０のＮ）。
【００３３】
この状態は、例えば、図６（Ｂ）に示すように、ユーザの指等がタッチパネル１１０を押圧しながら移動しているときを示す。ＣＰＵ１２０は、ユーザの指等がタッチパネル１１０から離間されたと判断すると（Ｓ１４０のＹ）、その離間される直前の領域である第３領域２３０を選択し（Ｓ１５０）、本実施形態の制御を終了する。この場合、図６（Ｃ）に示すように、「し」が選択されることになる。なお、図６（Ｃ）に示すように、第３領域２３０の色も変わっている。
【００３４】
この構成では、ＣＰＵ１２０が第２領域２２０の色を変えるため、ユーザは、自分が選択している位置を視覚で認識することができる。したがって、誤入力を防止することができる。なお、第２領域２２０の色が変わる面積は、ユーザの指等があっても視認できる程度の大きさである。
【００３５】
また、ＣＰＵ１２０が第３領域２３０の色を変えるため、ユーザは、自分が選択したい位置を視覚で認識することができる。したがって、誤入力を防止することができる。
【００３６】
なお、第１実施形態および第２実施形態において、表示装置１００の説明をしたが、この表示装置１００は、表示装置１００において選択された領域に応じて所定の処理をする情報処理部を備える情報処理装置に用いることができる。
【００３７】
また、表示装置１００は、表示装置１００において選択された領域に応じて所定の処理をする画像処理部を備える画像処理装置に用いることができる。
【００３８】
さらに、表示装置１００は、表示装置において選択された領域に応じて所定の画像を形成する画像形成部を備える画像形成装置に用いることができる。
【００３９】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００４０】
１００−表示装置
１１０−タッチパネル
１２０−ＣＰＵ
２１０−第１領域
２２０−第２領域
２３０−第３領域
【図１】
0006518622.tif 000002
【図２】
0006518622.tif 000003
【図３】
0006518622.tif 000004
【図４】
0006518622.tif 000005
【図５】
0006518622.tif 000006
【図６】
0006518622.tif 000007